(57)【要約】【課題】シュレッダーに着脱可能な安全器具であって、被処理物以外の物を巻込む事故を防止するものを提供する。【解決手段】シュレッダー用安全器具１は投入口１１０とガイド部１２０と排出口１３０と取付体１４０とバンド係止部１５０と固定バンド１６０と蓋１７０により構成される。側面視で下方に向って窄んだ投入口１１０は該投入口を密閉可能な蓋１７０を備える。投入口と排出口１３０以外を塞いだ板状体のガイド部１２０は取付体１４０の上方且つ縦方向に設けられ、その内壁の複数箇所に突起体１２１が交互に向合い突出して形成され、各突起体の頂上部の間に被処理物が通過可能な細隙が形成される。排出口１３０を備え、ガイド部１２０下方で取付体１４０裏側にある連絡部１２２はシュレッダー投入口Ｓ１に嵌る又は本質的に嵌るよう形成してある。取付体１４０は長さ方向各両縁近傍に挟持部１４２を備える。【選択図】図１
0003127580.tif 000002
【実用新案登録請求の範囲】
【請求項１】
シュレッダーに取り付けて巻き込み事故を防止する器具であって、
上記器具は、被処理物の投入口と、被処理物の排出口と、投入口と排出口の間に設けられた被処理物のガイド部と、シュレッダーへの着脱手段と、を備えており、
上記シュレッダーへの着脱手段は、取着後のシュレッダーの被処理物投入口が露出しない又は露出しにくい構造を有し、
上記ガイド部は、被処理物以外の物がシュレッダーの被処理物投入口へ入り込まない又は入り込みにくい形状又は構造を備えており、
上記被処理物の排出口は、シュレッダーの被処理物投入口と連絡又は本質的に連絡するよう形成されたことを特徴とする、
シュレッダー用安全器具。
【請求項２】
シュレッダーへの着脱手段は、シュレッダーの被処理物投入口近傍に固定する手段或いは着脱する手段を備えており、
上記シュレッダーへの着脱手段とガイド部は、それぞれが分離できるよう形成され、または、それぞれの一部が蝶番状に繋がることで開閉が可能な構造を備える開口部が形成されており、
上記分離部分又は開口部分は、分離又は開口した状態において、シュレッダーの被処理物投入口が露出されるように形成されており、
上記分離部分又は開口部分は、当該部分を結着する又は開口部を閉じるための結合手段を備えており、
上記結合手段によって、上記ガイド部と上記着脱手段の分離部分を結着した或いは開口部を閉じた状態においては、シュレッダーの被処理物投入口が露出しない又は露出しにくい構造を有することを特徴とする、
請求項１記載のシュレッダー用安全器具。
【請求項３】
シュレッダーへの着脱手段は、シュレッダー上部又は上部の一部を嵌め入れ可能な形状又は構造を備え、当該箇所を挟持する又は締め付けるものであることを特徴とする、
請求項１または２記載のシュレッダー用安全器具。
【請求項４】
シュレッダーへの着脱手段は、伸縮可能な挟持体を備えていることを特徴とする、
請求項１または２記載のシュレッダー用安全器具。
【請求項５】
ガイド部は、一度に大量の被処理物がシュレッダーの被処理物投入口に向かわないよう構成された被処理物送り手段を備えていることを特徴とする、
請求項１，２，３または４記載のシュレッダー用安全器具。
【請求項６】
被処理物送り手段として、ガイド部の内壁に相対する又は互い違いに向かい合う突起が形成されており、
相対する又は互い違いに向かい合う突起の頂上部の間には、シュレッダーが一度に裁断又は破砕可能な厚み或いは分量の被処理物が通過できる程度の細隙が形成されていることを特徴とする、
請求項１，２，３，４または５記載のシュレッダー用安全器具。
【請求項７】
シュレッダー用安全器具を取付位置に固定するための手段を備えていることを特徴とする、
請求項１，２，３，４，５または６記載のシュレッダー用安全器具。
【請求項８】
シュレッダー用安全器具を取付位置に固定するための手段は、帯状物、紐状物、鎖状物のいずれか又はこれらの組み合わせであることを特徴とする、
請求項１，２，３，４，５，６または７記載のシュレッダー用安全器具。
【請求項９】
シュレッダー用安全器具の投入口に、着脱又は開閉が可能な蓋を備えていることを特徴とする、
請求項１，２，３，４，５，６，７または８記載のシュレッダー用安全器具。
【考案の詳細な説明】
【技術分野】
【０００１】
本考案は、シュレッダー用安全器具に関する。更に詳しくは、既存のシュレッダーに着脱可能な器具であって、当該器具により指や手、ネクタイ等の巻き込み事故防止を図るものに関する。
【背景技術】
【０００２】
近年、個人情報等の保護の観点から、企業のみならず一般家庭等においても図６に示すようなシュレッダーが設置され、利用されている場合も多い。
しかし、一般家庭等にシュレッダーが設置にされた環境下では、幼児など子供によるシュレッダーへの巻き込み事故の心配がある。現に、幼児がシュレッダーの投入口に指を入れて、指を切断する事故も発生している。
また、利用者が大人であっても、髪の毛、着用しているネクタイやネックレス、ブレスレット等がシュレッダーに巻き込まれてしまうような不注意による事故の可能性もあり得る。このような事故は、家庭のみならず事業所等でも起こりうる。
そこで、上記のような事故を防止する方法の一つとして、シュレッダー投入口周辺の構造変更が挙げられ、具体的には下記の実用新案登録公報に記載された考案が提案されている。
【０００３】
【特許文献１】登録実用新案公報第３１０８４８３号
【０００４】
従来のシュレッダーの構造は、紙等の被処理物の投入口のすぐ近くに刃が設けられている（実用新案登録公報の図６を参照）ものが多い。しかし、上記実用新案登録公報に係るシュレッダーはその構造を改良したものであり、細断物が通過可能な細いスリット状の投入口を板厚内に有するガイドプレートを備え、該ガイドプレートは非細断時に横倒状態、細断時には起立状態となるように取付けてあり、そして、細断時の起立状態において、通過口を外部に対して閉塞し、スリット状の投入口のみが通過口と連通するよう形成してある。
上記シュレッダーは、このような構造によって異物の侵入を防ぎ、かつ、投入口と刃の間隔を空けるようにして、巻き込み事故を防ぐ効果が期待できる。
【考案の開示】
【考案が解決しようとする課題】
【０００５】
しかし、上記実用新案登録公報を含むシュレッダーは、ガイドプレートを含む投入口周辺を改良し、上記ガイドプレートが取り付けられるよう本体部分も構造を変更したものであって、上記実用新案登録公報に係る図６に記載されるような従来のシュレッダーに当該機能を付加するものではない。
つまり、図６及び上記実用新案登録公報に係る図６に記載されるような形状あるいは構造のシュレッダーを既に所有している者にとっては、未だ使用可能な既存のシュレッダーを買い換えなければならず、利用者にとって買い換えに伴う費用負担が大きいという課題があった。
また、買い換えに伴い壊れてもいないシュレッダーを廃棄するような場合は、我が国政府が提唱する循環型社会の理念に反し、また、処理に際して環境負荷が生じるという課題もあった。
上記課題を鑑みて、本考案者は、既存のシュレッダーを継続して利用しつつも、使用における安全性を向上させるべく研究を行った結果、本考案に想到するに至った。
【０００６】
（考案の目的）
そこで、本考案の目的は、既存のシュレッダーに着脱可能な安全器具であって、被処理物以外の物を巻き込む事故を防止するものを提供することにある。
【課題を解決するための手段】
【０００７】
上記目的を達成するために講じた本考案の手段は次のとおりである。
第１の考案にあっては、
シュレッダーに取り付けて巻き込み事故を防止する器具であって、
上記器具は、被処理物の投入口と、被処理物の排出口と、投入口と排出口の間に設けられた被処理物のガイド部と、シュレッダーへの着脱手段と、を備えており、
上記シュレッダーへの着脱手段は、取着後のシュレッダーの被処理物投入口が露出しない又は露出しにくい構造を有し、
上記ガイド部は、被処理物以外の物がシュレッダーの被処理物投入口へ入り込まない又は入り込みにくい形状又は構造を備えており、
上記被処理物の排出口は、シュレッダーの被処理物投入口と連絡又は本質的に連絡するよう形成されたことを特徴とする、
シュレッダー用安全器具である。
【０００８】
第２の考案にあっては、
シュレッダーへの着脱手段は、シュレッダーの被処理物投入口近傍に固定する手段或いは着脱する手段を備えており、
上記シュレッダーへの着脱手段とガイド部は、それぞれが分離できるよう形成され、または、それぞれの一部が蝶番状に繋がることで開閉が可能な構造を備える開口部が形成されており、
上記分離部分又は開口部分は、分離又は開口した状態において、シュレッダーの被処理物投入口が露出されるように形成されており、
上記分離部分又は開口部分は、当該部分を結着する又は開口部を閉じるための結合手段を備えており、
上記結合手段によって、上記ガイド部と上記着脱手段の分離部分を結着した或いは開口部を閉じた状態においては、シュレッダーの被処理物投入口が露出しない又は露出しにくい構造を有することを特徴とする、
第１の考案に係るシュレッダー用安全器具である。
【０００９】
第３の考案にあっては、
シュレッダーへの着脱手段は、シュレッダー上部又は上部の一部を嵌め入れ可能な形状又は構造を備え、当該箇所を挟持する又は締め付けるものであることを特徴とする、
第１または第２の考案に係るシュレッダー用安全器具である。
【００１０】
第４の考案にあっては、
シュレッダーへの着脱手段は、伸縮可能な挟持体を備えていることを特徴とする、
第１または第２の考案に係るシュレッダー用安全器具である。
【００１１】
第５の考案にあっては、
ガイド部は、一度に大量の被処理物がシュレッダーの被処理物投入口に向かわないよう構成された被処理物送り手段を備えていることを特徴とする、
第１，第２，第３または第４の考案に係るシュレッダー用安全器具である。
【００１２】
第６の考案にあっては、
被処理物送り手段として、ガイド部の内壁に相対する又は互い違いに向かい合う突起が形成されており、
相対する又は互い違いに向かい合う突起の頂上部の間には、シュレッダーが一度に裁断又は破砕可能な厚み或いは分量の被処理物が通過できる程度の細隙が形成されていることを特徴とする、
第１，第２，第３，第４または第５の考案に係るシュレッダー用安全器具である。
【００１３】
第７の考案にあっては、
シュレッダー用安全器具を取付位置に固定するための手段を備えていることを特徴とする、
第１，第２，第３，第４，第５または第６の考案に係るシュレッダー用安全器具である。
【００１４】
第８の考案にあっては、
シュレッダー用安全器具を取付位置に固定するための手段は、帯状物、紐状物、鎖状物のいずれか又はこれらの組み合わせであることを特徴とする、
第１，第２，第３，第４，第５，第６または第７の考案に係るシュレッダー用安全器具である。
【００１５】
第９の考案にあっては、
シュレッダー用安全器具の投入口に、着脱又は開閉が可能な蓋を備えていることを特徴とする、
第１，第２，第３，第４，第５，第６，第７または第８の考案に係るシュレッダー用安全器具である。
【００１６】
「被処理物」としては、紙類が挙げられるほか、例えばＣＤ等であってもよい。
【００１７】
「取付手段」としては、例えば、シュレッダー上部に嵌合又は本質的に嵌合するよう形成されており、シュレッダー上部を挟持又は本質的に挟持して設置できるよう形成されたものが挙げられるが、これに限定したものではなく、伸縮可能な挟持体を備えているものであってもよいし、あるいは、これらの組み合わせであるもの、その他公知の取付手段等であってもよい。
【００１８】
「本質的に連絡して」とは、被処理物の排出口とシュレッダーの被処理物投入口が直接繋がって連絡している場合のみならず、被処理物の排出口とシュレッダーの被処理物投入口の間に多少の間隔が空いた状態で連絡している場合を含む意味で使用している。
【００１９】
「（取付手段を）シュレッダーの被処理物投入口近傍に固定する手段」及び「シュレッダー用安全器具を取付位置に固定するための手段」としては、例えば、帯状物、紐状物、鎖状物のいずれか又はこれらの組み合わせであるものが挙げられるが、これに限定するものではなく、例えば、両面粘着テープ、面テープ、係止フック、磁石、クリップ等の挟持具、ネジやピン等の公知の固定手段のいずれか又はこれらの組み合わせであるものであってもよい。なお、該手段は、シュレッダーが紙詰まり等を起こした際に、シュレッダー用安全器具を取り外して詰まった物を除去しやすいように、着脱作業が容易で且つ繰り返し使用できるものが好ましい。
【００２０】
（作  用）
本考案に係るシュレッダー用安全器具の作用を説明する。
まず、シュレッダー用安全器具の取付方法を説明する。
取付作業者は、シュレッダー用安全器具が備える取付手段によって、シュレッダー用安全器具を既存のシュレッダーに取り付ける。この際に、取付作業者は、シュレッダー用安全器具の被処理物の排出口をシュレッダーの被処理物投入口と連絡又は本質的に連絡するよう取り付ける。
【００２１】
なお、シュレッダーへの着脱手段が、シュレッダー上部又は上部の一部を嵌め入れ可能な形状又は構造を備え、当該箇所を挟持する又は締め付けるものについては、シュレッダー上部等を上記着脱手段に嵌め入れ、シュレッダー上部を挟持又は締め付けさせて設置する。
また、シュレッダーへの着脱手段が伸縮可能な挟持体を備えているものについては、該挟持体を伸縮させてシュレッダーの大きさ又は形状に合わせ、シュレッダー上部を挟持又は本質的に挟持させて設置する。
【００２２】
また、第２の考案に係るシュレッダー用安全器具については、結合手段によってガイド部と着脱手段の分離部分を結着する或いは開口部を閉じた後に、シュレッダーの被処理物投入口近傍に固定する手段或いは着脱手段によって上記着脱手段をシュレッダーに取り付ける。なお、上記の手順は、逆であってもよい。
【００２３】
更に、シュレッダー用安全器具を取付位置に固定するための手段を備えているもの、あるいは、上記手段が帯状物、紐状物、鎖状物のいずれか又はこれらの組み合わせであるものは、当該手段を用いて、シュレッダーに上記器具を固定する。
【００２４】
シュレッダー用安全器具の取り付け後、シュレッダーの被処理物投入口は露出しない又は本質的に露出しなくなる。
【００２５】
次に、取り付けたシュレッダー用安全器具の作用について説明する。
被処理物を投入口に投入する。なお、投入口に蓋を備えているものについては、蓋を開け、被処理物を投入口に投入する。
投入された被処理物は、ガイド部を通過して排出口へ至る。この際、上記ガイド部は被処理物以外の物がシュレッダーの被処理物投入口へ入り込まない又は入り込みにくい形状又は構造を備えているので、被処理物以外の物は、ガイド部より奥へ入りにくく、シュレッダーの被処理物投入口まで至らない又は至りにくい。
被処理物は、シュレッダーの被処理物投入口と連絡又は本質的に連絡した上記排出口を通過して、シュレッダーの被処理物投入口に投入される。
【００２６】
上記ガイド部の内壁に、一度に大量の被処理物がシュレッダーの被処理物投入口に向かわないよう構成された被処理物送り手段が設けられたものは、当該手段によって、一度に大量の被処理物がシュレッダーの被処理物投入口に向かわず、所要量の被処理物がシュレッダーの被処理物投入口に送られる。
【００２７】
ガイド部の内壁に相対する又は互い違いに向かい合う突起が形成されており、相対する又は互い違いに向かい合う突起の頂上部の間には、シュレッダーが一度に裁断又は破砕可能な厚み或いは分量の被処理物が通過できる程度の細隙が形成されている被処理物送り手段を備えるものは、投入された被処理物が突起に当たりながら細隙を通過していくことにより、シュレッダーの投入口には一度に裁断又は破砕可能な厚み或いは分量の被処理物が投入される。
【００２８】
なお、上記被処理物の処理工程において、シュレッダーの被処理物投入口へ投入された被処理物が詰まった場合は、シュレッダー用安全器具を取付位置に固定するための手段を外す又は解除して、シュレッダー用安全器具をシュレッダーから取り外し、詰まった被処理物をシュレッダーの投入口から除去する。
また、第２の考案に係るシュレッダー用安全器具については、結合手段を外して、ガイド部と着脱手段を分離させ或いは開口部を開けて、シュレッダーの被処理物投入口に詰まった被処理物をシュレッダーの投入口から除去する。
処理が終了した後、投入口に蓋を備えているものについては、蓋を閉じる。
【考案の効果】
【００２９】
（１）本考案によれば、既存のシュレッダーに着脱して使用することができ、取り付けた後はシュレッダーの被処理物投入口は露出しない又は本質的に露出しなくなるため、効果的に巻き込み事故を防止するシュレッダー用安全器具を提供することができる。
（２）シュレッダーへの着脱手段が、シュレッダー上部又は上部の一部を嵌め入れ可能な形状又は構造を備え、当該箇所を挟持する又は締め付けるものについては、上記着脱手段をシュレッダー上部に嵌め入れるだけ取付作業が終わるため、シュレッダーへの着脱が容易且つ手早く行える。
また、シュレッダーへの着脱手段が伸縮可能な挟持体を備えているものについては、大きさ又は形状の異なるシュレッダーへの着脱が容易且つ手早く行うことができ、且つサイズの異なるシュレッダーに合わせて調整できるので取付自由度が高い。また、収納時又は運搬時等において縮めることができて嵩張らない。
（３）シュレッダー用安全器具を取付位置に固定するための手段を備えているもの、あるいは、上記手段が帯状物、紐状物、鎖状物のいずれか又はこれらの組み合わせであるものは、当該手段によってシュレッダーに上記器具を固定できるため、子供がいたずら等した場合に外れにくく事故になりにくい。
（４）ガイド部の内壁に相対する又は互い違いに向かい合う突起が形成されており、相対する又は互い違いに向かい合う突起の頂上部の間には、シュレッダーが一度に裁断又は破砕可能な厚み或いは分量の被処理物が通過できる程度の細隙が形成されている被処理物送り手段を備えるものは、投入された被処理物が突起に当たりながら細隙を通過していくことにより、シュレッダーの投入口には一度に裁断又は破砕可能な厚み或いは分量の被処理物が投入されるため詰まりにくい。また、髪やネクタイ、子供の指等の被処理物以外の物がシュレッダーの被処理物投入口に巻き込まれない或いは巻き込まれにくく、事故を防止することができる。
（５）第２の考案に係るシュレッダー用安全器具は、ガイド部と着脱手段が分離し或いは開口部を有するので、シュレッダー用安全器具をシュレッダーから取り外さなくても、当該箇所からシュレッダーの被処理物投入口に詰まった被処理物をシュレッダーの投入口から除去することができるので、素早く処理でき、かつ使い勝手がよい。同様に、分離部分を結着する或いは開口部を閉じる作業も、結合手段によって簡易かつ素早く行うことができる。
また、シュレッダーの被処理物投入口近傍に固定する手段或いは着脱手段を備えているためシュレッダー上部のサイズ及び形状を問わずに設置でき、取付自由度が高い。
（６）ガイド部の内壁に一度に大量の被処理物がシュレッダーの被処理物投入口に向かわないよう構成された被処理物送り手段が設けられたものは、被処理物以外の物がガイド部より奥へ入り込みにくく、シュレッダーの被処理物投入口まで至らない又は至りにくい。このため、髪やネクタイ、子供の指等の被処理物以外の物がシュレッダーの被処理物投入口に巻き込まれない或いは巻き込まれにくく、事故を防止することができる。
（７）ガイド部の内壁に相対する又は互い違いに向かい合う突起が形成されており、相対する又は互い違いに向かい合う突起の頂上部の間には、シュレッダーが一度に裁断又は破砕可能な厚み或いは分量の被処理物が通過できる程度の細隙が形成されている被処理物送り手段を備えるものは、投入された被処理物が突起に当たりながら細隙を通過していくことにより、シュレッダーの投入口には一度に裁断又は破砕可能な厚み或いは分量の被処理物が投入されるため詰まりにくい。また、髪やネクタイ、子供の指等の被処理物以外の物がシュレッダーの被処理物投入口に巻き込まれない或いは巻き込まれにくく、事故を防止することができる。
（８）シュレッダー用安全器具の投入口に着脱又は開閉が可能な蓋を備えたものは、当該蓋がされた状態では上述されたような被処理物以外の物が投入口に入らない。これにより、例えば、処理作業後にシュレッダーの主電源を消し忘れたような場合であっても、被処理物以外の物を巻き込む事故を未然に防止できる。
（９）上記シュレッダー用安全器具は、簡易な構造であるため安価で作成できる。また、既存のシュレッダーを引き続き利用できて新たに買い換える必要がないため、政府が提唱する循環型社会の理念に合致し、また、シュレッダーの廃棄処理に伴う環境負荷が生じることがない。
【考案を実施するための最良の形態】
【００３０】
（第一の実施の形態）
本考案に係るシュレッダー用安全器具の第一の実施の形態を図面に基づき説明する。
図１は、本考案に係るシュレッダー用安全器具１を取り付けた状態の斜視図、
図２は、本考案に係るシュレッダー用安全器具１を取り付けた状態の断面図、
である。
【００３１】
図１及び図２に示すシュレッダー用安全器具１について説明する。シュレッダー用安全器具１は、投入口１１０と、ガイド部１２０と、排出口１３０と、取付体１４０と、バンド係止部１５０と、固定バンド１６０と、蓋１７０により構成されており、以下詳細に説明する。
【００３２】
投入口１１０は、シュレッダー用安全器具１の幅方向にわたって開口して形成されており（図１参照）、側面視では上方が開口し、下方に向かって窄んだ形状に形成されている（図２参照）。
投入口１１０は、着脱可能であって当該開口部を密閉できるよう形成された蓋１７０を備えている。上記蓋１７０は、上面中央に取っ手が形成され、下面幅方向の両端に蓋が脱落することを防止するための突起が形成されている（図１参照）。
【００３３】
ガイド部１２０は、内部に空間が形成された板状体であって、上述の投入口と下方に設けられた排出口１３０以外が塞がれており、取付体１４０の上方且つ縦方向に設けられている。
ガイド部１２０内の空間は被処理物の幅よりやや幅広に形成されており、ガイド部１２０内壁に突起体１２１が複数箇所に形成されている。各突起体１２１は空間中央に向かい交互に突出しており、交互に向かい合う各突起体１２１の頂上部の間には、シュレッダーが一度に裁断又は破砕可能な厚み或いは分量の被処理物が通過できる程度の細隙が形成されている（図２参照）。
【００３４】
ガイド部１２０下部であって、取付体１４０の上面板１４１の裏側には、連絡部１２２が取付体１４０の下方且つ縦方向に設けられている。
連絡部１２２下端には排出口１３０が設けられている。
連絡部１２２はシュレッダー投入口Ｓ１に嵌る又は本質的に嵌るよう形成されており、排出口１３０とシュレッダー投入孔Ｓ１１は被処理物が通過できるよう連絡又は本質的に連絡するよう形成されている。
【００３５】
取付体１４０は、上面板１４１と、挟持部１４２と、バンド係止部１５０と、を備えている。
図１に示すように、上面板１４１は、ガイド部１２０を挟んで両側の下部に形成されており、設置対象であるシュレッダーＳに係るシュレッダー上面板Ｓ２に対して水平且つ平行であって略同じ長さに形成されている。また、上面板１４１の幅は、ガイド部１２０の幅と略同じである。
【００３６】
上面板１４１の長さ方向の各両縁には挟持部１４２が設けられている。各挟持部１４２は、上面板１４１の長さ方向の各両縁部近傍において、所要幅を下方且つ縦方向に折り曲げて形成してある。
各挟持部１４２の下縁中央部には、鈎状に形成されたバンド係止部１５０がそれぞれ設けられている。
【００３７】
固定バンド１６０は、バンド１６１、バックル１６２、ラダーロック１６３を備えている。バンド１６１は、その両端にバックル１６２をそれぞれ備えており、各バックル１６２近傍にラダーロック１６３をそれぞれ備えている。
上述のバンド係止部１５０は、バックル１６２と係止可能に形成してある。
【００３８】
本実施の形態では、シュレッダー用安全器具１は、主に合成樹脂により形成されているが当該素材に限定するものではなく、例えばステンレススチール、アルミニウム等の金属製であってもよいし、木材、竹材等の公知材料を使用してもよいし、上記素材を組み合わせたものであってもよい。
【００３９】
本実施の形態では、固定バンド１６０に係るバンド１６１、バックル１６２、ラダーロック１６３は合成樹脂により形成されたものを使用するがこれに限定するものではなく、例えばバンド１６１はゴムや布製であってもよいし、バックル１６２、ラダーロック１６３は金属製であってもよい。また、上記素材以外の公知材料を使用してもよいし、これらを組み合わせたものであってもよい。
【００４０】
なお、シュレッダー用安全器具１に係る各構成部分の位置及び形状は、本実施の形態に限定するものではなく、例えば、様々なサイズのシュレッダーに対応すべく、シュレッダー用安全器具１に係るガイド部１２０、排出口１３０、取付体１４０、バンド係止部１５０、固定バンド１６０のサイズ及び位置等は、適宜商業的変更を行ってもよい。
【００４１】
（作  用）
図１乃至図２を参照して、シュレッダー用安全器具１の作用を説明する。
なお、取付対象であるシュレッダーＳは、シュレッダー上面板Ｓ２に、シュレッダー投入口Ｓ１及び動作及び緊急停止スイッチＳ３を備えており、シュレッダー投入口Ｓ１は、下方に向かって窄んだ形状であって、奥にシュレッダー投入孔Ｓ１１が開口している。シュレッダーＳの内部には、回転式切断刃Ｓ４１及び回転式切断刃Ｓ４２がシュレッダー投入孔Ｓ１１近傍に設けられている（図２参照）。
【００４２】
（取付方法）
シュレッダー用安全器具１をシュレッダーＳに取り付ける。
取付作業者は、シュレッダー用安全器具１の取付体１４０によって、シュレッダー用安全器具１をシュレッダーＳに取り付ける。
この際に、取付作業者は、取付体１４０の連絡部１２２を、シュレッダーＳのシュレッダー投入口Ｓ１に挿し入れ、排出口１３０とシュレッダー投入孔Ｓ１１が連絡又は本質的に連絡するよう取り付ける。
取付後のシュレッダー用安全器具１は、シュレッダー上面板Ｓ２に当接し、隙間ができない又は本質的にできない。
また、シュレッダーＳは、安全及び操作のために、シュレッダー用安全器具１の取付後であっても、動作及び緊急停止スイッチＳ３が露出している。
【００４３】
シュレッダー用安全器具１はシュレッダーＳに取り付けると、取付体１４０の挟持部１４２がシュレッダーＳを挟み込んで、取付場所に固定又は本質的に固定される。また、シュレッダー投入口Ｓ１及びシュレッダー投入孔Ｓ１１は、シュレッダー用安全器具１のガイド部１２０及び上面板１４１に覆われて、露出しない又は本質的に露出しなくなる。
【００４４】
最後に、固定バンド１６０をシュレッダーＳの下を通して回し、バンド係止部１５０にバックル１６２を係止して、シュレッダー用安全器具１を固定する。バンド１６１の長さ及び弛みはラダーロック１６３により調整する。
【００４５】
（使用方法）
次に、取り付けたシュレッダー用安全器具１の作用について説明する。
蓋１７０を外し、被処理物を投入口１１０に投入する。投入された被処理物はガイド部１２０を通過して排出口１３０へ至る。
この際、投入された被処理物は突起体１２１に当たりながら細隙を通過していき、排出口１３０とシュレッダー投入孔Ｓ１１は連絡又は本質的に連絡しているので、シュレッダー投入孔Ｓ１１に一度に裁断又は破砕可能な厚み或いは分量の被処理物が投入される。
【００４６】
なお、大量の被処理物投入時には、被処理物（例えば紙の束）を前後に振動させながら投入すると、上記細隙に入りきれない分の紙は突起体１２１に一時的に引っ掛かって止まり、処理可能な量の紙が細隙を通過してシュレッダー投入孔Ｓ１１に落ち込んで処理される。そして、紙の束を前後に振動させ続けると、順次所要量ずつ紙が処理されていき、途中で紙詰まりを起こさない又は起こしにくい。
【００４７】
このように、ガイド部１２０は、被処理物以外の物がシュレッダーの被処理物投入口へ投入されない又は本質的に投入されないよう形成されているため、子供の指、髪の毛、着用しているネクタイやネックレス、ブレスレット等の被処理物以外の物は、ガイド部より奥へ入りにくく、シュレッダーの被処理物投入口まで至らない又は至りにくい。これにより、シュレッダーが被処理物以外の物を巻き込む事故が未然に防止できる。
【００４８】
なお、上記被処理物の処理工程において、シュレッダー投入孔Ｓ１１へ投入された被処理物が詰まった場合は、固定ベルト１６０を外して、シュレッダー用安全器具１をシュレッダーＳから取り外し、詰まった被処理物をシュレッダー投入孔Ｓ１１から除去する。
【００４９】
処理作業終了後、投入口は蓋で閉じる。これにより被処理物以外の物が投入口に入らなくなるので、例えば、処理作業後にシュレッダーの主電源を消し忘れたような場合であっても、被処理物以外の物を巻き込む事故や子供の悪戯を未然に防止できる。
【００５０】
（第二の実施の形態）
本考案に係るシュレッダー用安全器具の第二の実施の形態を図面に基づき説明する。なお、本実施の形態に係る本考案に係るシュレッダー用安全器具２は、取付体２４０以外の部分は先に説明したシュレッダー用安全器具１と同等の構造及び作用であるため、当該部分について重複した説明は省略し、相違する構造及び作用についてのみ説明する。
図３は、本考案に係るシュレッダー用安全器具２を取り付けた状態の斜視図、
である。
【００５１】
図３に示すシュレッダー用安全器具２は、投入口２１０と、ガイド部２２０と、排出口（符号及び図示省略）と、取付体２４０と、により構成されている。
取付体２４０は、取付体基部２４１と、取付アーム２４２ａ，２４２ｂ，２４２ｃ，２４２ｄと、アーム固定ネジ２４３ａ，２４３ｂ，２４３ｃ，２４３ｄと、を備えている。
【００５２】
取付体基部２４１は板状であって、側部に取付アーム２４２ａ，２４２ｂ，２４２ｃ，２４２ｄをそれぞれ挿入可能なガイド孔（符号省略）が設けられており、上部には、ガイド孔に貫通し、アーム固定ネジ２４３ａ，２４３ｂ，２４３ｃ，２４３ｄが螺着可能なネジ孔（符号省略）が設けられている。
【００５３】
取付アーム２４２ａ，２４２ｂ，２４２ｃ，２４２ｄは、一方が下方且つ縦方向に向けて折り曲げられた板状体であって、他方側は上記取付体基部２４１に設けられたガイド孔にそれぞれ挿入されている。
【００５４】
アーム固定ネジ２４３ａ，２４３ｂ，２４３ｃ，２４３ｄは、取付体基部２４１の上面に設けられており、取付体２４０内部に配置された取付アーム２４２ａ，２４２ｂ，２４２ｃ，２４２ｄをそれぞれ対応するアーム固定ネジが上方から圧迫して固定できるよう形成されている（例えば、アーム固定ネジ２４３ａは取付アーム２４２ａが上方から圧迫して固定する。他も同様。）。
【００５５】
本実施の形態では、シュレッダー用安全器具２は、主に合成樹脂により形成されているが当該素材に限定するものではなく、例えばステンレススチール、アルミニウム等の金属製であってもよいし、木材、竹材等の公知材料を使用してもよいし、上記素材を組み合わせたものであってもよい。
【００５６】
なお、シュレッダー用安全器具２に係る各構成部分の位置及び形状は、本実施の形態に限定するものではなく、例えば、様々なサイズのシュレッダーに対応すべく、シュレッダー用安全器具２に係るガイド部２２０、排出口２３０、取付体２４０のサイズ及び位置等は、適宜商業的変更を行ってもよい。
【００５７】
（作  用）
図３を参照して、シュレッダー用安全器具２の作用を説明する。
なお、取付対象であるシュレッダーＳは、第一の実施の形態で説明したものと同じであるので説明を省略する。また、取付後のシュレッダー用安全器具２の使用方法はシュレッダー用安全器具１と同様であるため説明を省略する。
【００５８】
（取付方法）
シュレッダー用安全器具２をシュレッダーＳに取り付ける。なお、排出口とシュレッダー投入孔（符号及び図示省略）を連絡又は本質的に連絡するよう取り付ける手順は、シュレッダー用安全器具１と同様であるため、説明を省略する。
【００５９】
シュレッダー用安全器具２の取付体２４０によりシュレッダー用安全器具２をシュレッダーＳに取り付ける際に、取付作業者は、取付体２４０の取付アーム２４２ａ，２４２ｂ，２４２ｃ，２４２ｄをシュレッダー上面板Ｓ２の長さ及び幅に合わせて、がたつきが生じない長さに伸縮させる。取付アーム２４２ａ，２４２ｂ，２４２ｃ，２４２ｄの長さが決まったら、アーム固定ネジ２４３ａ，２４３ｂ，２４３ｃ，２４３ｄをそれぞれ締める。
【００６０】
シュレッダー用安全器具２をシュレッダーＳに取り付けると、各取付アーム２４２ａ，２４２ｂ，２４２ｃ，２４２ｄがシュレッダーＳ側部を挟み込み、取付場所に固定又は本質的に固定される。また、シュレッダー用安全器具２の取付後は、シュレッダーＳの投入口及び投入孔がガイド部２２０及び取付体２４０に覆われて露出しない又は本質的に露出しなくなる。
なお、シュレッダーＳは、安全及び操作のために、シュレッダー用安全器具２の取付後であっても、動作及び緊急停止スイッチＳ３が露出している。
【００６１】
本実施の形態には特に記載していないが、シュレッダー用安全器具２の安全性を高めるために、固定ベルトなど取付位置に固定するための手段を設けてもよい。
【００６２】
（第三の実施の形態）
本考案に係るシュレッダー用安全器具の第三の実施の形態を図面に基づき説明する。なお、本実施の形態に係る本考案に係るシュレッダー用安全器具３は、先に説明したシュレッダー用安全器具１と同等の構造及び作用について重複した説明を省略し、相違する構造及び作用についてのみ説明する。
図４は本考案に係るシュレッダー用安全器具３の分解斜視図、
図５は図４に示すシュレッダー用安全器具３の側方断面図、
である。
【００６３】
図４に示すシュレッダー用安全器具３は、投入口３１０と、ガイド部３２０と、排出口３３０と、取付体３４０と、２つの留め具３５０により構成されている。
【００６４】
ガイド部３２０は、ガイド部フランジ３２１と、連絡部３２２を備えている。
ガイド部フランジ３２１は、ガイド部３２０の側面下方であって幅方向にわたりそれぞれ２箇所に形成され、外方に向かって板状に突出している。ガイド部フランジ３２１は断面視略台形に形成され、断面視で先端方向の上方向が鋭角、下方向が直角となっている。
連絡部３２２はガイド部フランジ３２１の下方且つ縦方向に設けられている。
連絡部３２２下端には排出口３３０が設けられている。
【００６５】
取付体３４０は、取付体基部３４１と、取付体開口部３４２と、取付体フランジ３４３と、両面粘着テープ３４４により構成されている。
取付体基部３４１は、シュレッダーの投入口Ｓ１が露出しない程度の大きさの板状体により形成されており、その中央部には、連絡部３２２の外周とほぼ同じ大きさの取付体開口部３４２が形成されている。
取付体フランジ３４３は、取付体開口部３４２近傍に幅方向にわたって相対するよう二箇所に形成されており、それぞれ取付体基部３４１から立ち上がって取付体開口部３４２の反対側に向けて曲げて形成されている。取付体フランジ３４３は、断面視略台形であって、先端方向の上方向が直角、下方向が鋭角となるよう形成されている。
両面粘着テープ３４４は、取付体基部３４１の裏側であって幅方向にわたって貼り付けられており、相対するよう二箇所に設けられている。
【００６６】
各留め具３５０は、断面視略コ字状であって、両縁が内側の空間部に向けてやや曲がった形状に形成されている。
【００６７】
本実施の形態では、シュレッダー用安全器具３は、主に合成樹脂により形成されているが当該素材に限定するものではなく、例えばステンレススチール、アルミニウム等の金属製であってもよいし、木材、竹材等の公知材料を使用してもよいし、上記素材を組み合わせたものであってもよい。
【００６８】
本実施の形態では、シュレッダー用安全器具３のガイド部３２０内壁には突起体が設けられていないが、突起体を設けてもよい。
【００６９】
なお、シュレッダー用安全器具３に係る各構成部分の位置及び形状は、本実施の形態に限定するものではなく、例えば、様々なサイズのシュレッダーに対応すべく、シュレッダー用安全器具３に係るガイド部３２０、排出口３３０、取付体３４０のサイズ及び位置等は、適宜商業的変更を行ってもよい。
【００７０】
（作  用）
図４及び図５を参照して、シュレッダー用安全器具３の作用を説明する。
なお、取付対象であるシュレッダーＳは、第一の実施の形態で説明したものと同じであるので説明を省略する。
【００７１】
（取付方法）
下記手順でシュレッダー用安全器具３をシュレッダーＳに取り付ける。
（１）まず最初に、ガイド部３２０と取付体３４０を組み合わせる。
具体的には、ガイド部３２０の連絡部３２２を取付体３４０の取付体開口部３４２に挿入し、ガイド部フランジ３２１と取付体フランジ３４３が当接するまで押し込む。そして、ガイド部フランジ３２１と取付体フランジ３４３を、留め具３５０により挟み込んで固定する。
（２）次に、上記の方法で組み合わせたシュレッダー用安全器具３を、シュレッダーＳに取り付ける。
具体的には、シュレッダー用安全器具３の取付後に排出口３３０とシュレッダー投入孔Ｓ１１が連絡するように取付位置を調整し、当該位置が決まった後に、両面粘着テープ３４４によりシュレッダー上面板Ｓ２へ取付体３４０を接着する。
（３）上記手順を経て、シュレッダー用安全器具３はシュレッダーＳへ取り付けられる。なお、上記（１）と（２）の手順は、逆であってもよい。
【００７２】
（使用方法）
次に、取り付けたシュレッダー用安全器具３の作用について説明する。
被処理物を投入口３１０に投入すると、投入された被処理物は、ガイド部３２０及び連絡部３２２を通過して排出口３３０へ至り、排出口３３０からシュレッダー投入孔Ｓ１１に投入されて裁断等の処理がなされる。
なお、上記被処理物の処理工程において、シュレッダー投入孔Ｓ１１へ投入された被処理物が詰まった場合は、各留め具３５０を横にスライドさせる等してガイド部フランジ３２１及び取付体フランジ３４３から取り外し、ガイド部３２０を取付体３４０から抜き出して、詰まった被処理物をシュレッダー投入孔Ｓ１１から除去する。
【００７３】
本実施の形態では、取付体をシュレッダー上面板に取り付ける手段として、粘着テープを利用しているが、これに限定するものではなく、例えば、面テープ、係止フック、磁石、クリップ等の挟持具、ネジやピン等の公知の固定手段のいずれか又はこれらの組み合わせであるものであってもよい。
【００７４】
上記第一、第二、第三の実施の形態において、ガイド部の各部寸法は高さ２００ｍｍ、幅３１０ｍｍ、厚さ１６ｍｍ（内部の厚み方向の内壁間は１０ｍｍ）に形成されているが、この数値に限定するものではなく、適宜商業的変更を行ってもよい。
【００７５】
上記第三の実施の形態において、図５ではガイド部内には突起体が設けられていないが、当該形態に限定するものではなく、ガイド部内に突起体を設けてもよい。反対に、上記第一、第二の実施の形態において、ガイド部内に突起を設けなくともよい。更に、被処理物送り手段は、上記突起体に限定するものではなく、例えば、下に向かうほど先細となる形状等の公知手段であってもよい。
【００７６】
上記第二、第三の実施の形態においては、投入口は蓋を備えていないが、当該形態に限定するものではなく、第一の形態同様に蓋を備えるものであってもよい。
また、第一、第二、第三の実施の形態において、投入口が備える蓋は着脱可能なもののみならず、例えば、開閉可能な扉状の蓋を投入口に設ける等の公知手段であってもよい。
【００７７】
本明細書及び実用新案登録請求の範囲で使用している用語と表現は、あくまでも説明上のものであって、なんら限定的なものではなく、本明細書及び実用新案登録請求の範囲に記述された特徴およびその一部と等価の用語や表現を除外する意図はない。また、本考案の技術思想の範囲内で、種々の変形態様が可能であるということは言うまでもない。
【図面の簡単な説明】
【００７８】
【図１】本考案に係るシュレッダー用安全器具１を取り付けた状態の斜視図。
【図２】図１に示すシュレッダー用安全器具１のＡ−Ａ断面図。
【図３】本考案に係るシュレッダー用安全器具２を取り付けた状態の斜視図。
【図４】本考案に係るシュレッダー用安全器具３の分解斜視図。
【図５】図４に示すシュレッダー用安全器具３の側方断面図。
【図６】従来のシュレッダーを示す斜視図。
【符号の説明】
【００７９】
１      シュレッダー用安全器具
１１０  投入口
１２０  ガイド部
１２１  突起体
１２２  連絡部
１３０  排出口
１４０  取付体
１４１  上面板
１４２  挟持部
１５０  バンド係止部
１６０  固定バンド
１６１  バンド
１６２  バックル
１６３  ラダーロック
１７０  蓋
２      シュレッダー用安全器具
２１０  投入口
２２０  ガイド部
２３０  排出口
２４０  取付体
２４１  取付体基部
２４２ａ，２４２ｂ，２４２ｃ，２４２ｄ  取付アーム
２４３ａ，２４３ｂ，２４３ｃ，２４３ｄ  アーム固定ネジ
３      シュレッダー用安全器具
３１０  投入口
３２０  ガイド部
３２１  ガイド部フランジ
３２２  連絡部
３３０  排出口
３４０  取付体
３４１  取付体基部
３４２  取付体開口部
３４３  取付体フランジ
３４４  両面粘着テープ
３５０  留め具
Ｓ      シュレッダー
Ｓ１    シュレッダー投入口
Ｓ１１  シュレッダー投入孔
Ｓ２    シュレッダー上面板
Ｓ３    動作及び緊急停止スイッチ
Ｓ４１  回転式切断刃
Ｓ４２  回転式切断刃
【図１】
0003127580.tif 000003
【図２】
0003127580.tif 000004
【図３】
0003127580.tif 000005
【図４】
0003127580.tif 000006
【図５】
0003127580.tif 000007
【図６】
0003127580.tif 000008